(57)【要約】【課題】複数の番組を表示している時に、録画したい番組の冒頭部分を録画し損なうことなく、録画したい番組の録画の開始を瞬時に実行する放送受信装置、放送受信装置の制御方法、及びそのコンピュータプログラムを提供する。【解決手段】  ＴＶ受像機のシステムコントローラ１２が、各々の放送番組データに係る番組映像がともに画面表示されている状態で録画開始操作がなされた時に、画面表示されている全ての番組のＨＤＤ１０への録画を開始する。そして、システムコントローラ１２が、録画開始後に録画を続行する対象の番組を選択し、選択されなかった番組の録画を中止する。【選択図】  図１
2010278757.tif 000002
【特許請求の範囲】
【請求項１】
放送番組データを受信する放送受信装置であって、
それぞれ放送番組データを受信する複数の放送受信手段と、
前記複数の放送受信手段によって受信された各々の放送番組データに係る番組映像を、表示画面上の互いに異なる表示領域にともに表示する画面表示手段と、
前記各々の放送番組データに係る番組映像がともに前記表示画面上に表示されている状態で録画開始操作がなされた場合に、前記表示画面上に表示されている複数の番組の記録手段への録画を開始する制御手段とを備え、
前記制御手段は、録画開始後に録画を続行する対象の番組を前記複数の番組の中から選択し、前記複数の番組のうち選択されなかった番組の録画を中止することを特徴とする放送受信装置。
【請求項２】
前記制御手段は、前記各々の放送番組データに係る番組映像がともに前記表示画面上に表示されている状態で録画開始操作がなされた場合に、前記表示画面上に表示されている複数の番組のうちの一部の番組について第１の記録手段への録画を開始するとともに、前記複数の番組のうちの残りの番組について第２の記録手段への録画を開始することを特徴とする請求項１に記載の放送受信装置。
【請求項３】
前記制御手段は、ユーザの選択操作に応じて前記録画を続行する対象の番組を選択し、
前記ユーザの選択操作が行われなかった場合には、録画中の番組に係る番組情報から該番組の終了時刻を取得し、取得した番組の終了時刻と録画予約データとに基づいて、録画予約の実行に支障があるかを判断し、該判断結果に基づいて、前記録画を続行する対象の番組を前記複数の番組の中から選択することを特徴とする請求項１又は請求項２に記載の放送受信装置。
【請求項４】
前記制御手段は、ユーザの選択操作に応じて前記録画を続行する対象の番組を選択し、
前記ユーザの選択操作が行われなかった場合には、前記表示画面上の特定の表示位置に表示されている番組を、前記録画を続行する対象の番組として選択することを特徴とする請求項１又は請求項２に記載の放送受信装置。
【請求項５】
前記制御手段は、ユーザの選択操作に応じて前記録画を続行する対象の番組を選択し、
前記ユーザの選択操作が行われなかった場合には、前記表示画面上の表示サイズの大きさに基づいて、前記録画を続行する対象の番組を選択することを特徴とする請求項１又は請求項２に記載の放送受信装置。
【請求項６】
前記画面表示手段は、前記表示画面上の一方の表示領域が他方の表示領域の一部を被うように、前記各々の放送番組データに係る番組映像が表示される表示領域を配置し、
前記制御手段は、ユーザの選択操作に応じて前記録画を続行する対象の番組を選択し、
前記ユーザの選択操作が行われなかった場合には、前記表示画面上の前記表示領域の重なり状況に応じて、前記録画を続行する対象の番組を選択することを特徴とする請求項１又は請求項２に記載の放送受信装置。
【請求項７】
放送番組データを受信する放送受信装置の制御方法であって、
複数の放送番組データを受信し、
前記受信された各々の放送番組データに係る番組映像を、表示画面上の互いに異なる表示領域にともに表示し、
前記各々の放送番組データに係る番組映像がともに前記表示画面上に表示されている状態で録画開始操作がなされた場合に、前記表示画面上に表示されている複数の番組の記録手段への録画を開始し、
録画開始後に録画を続行する対象の番組を前記複数の番組の中から選択し、前記複数の番組のうち選択されなかった番組の録画を中止することを特徴とする放送受信装置の制御方法。
【請求項８】
請求項７に記載した放送受信装置の制御方法をコンピュータに実行させることを特徴とするコンピュータプログラム。
【発明の詳細な説明】
【技術分野】
【０００１】
本発明は、番組録画機能を有する放送受信装置、放送受信装置の制御方法、及びそのコンピュータプログラムに関する。
【背景技術】
【０００２】
放送の多チャンネル化等を背景に、一度に複数の番組を視聴可能なマルチウインドウＴＶ（Television）が存在する。マルチウインドウＴＶは、複数の受信回路と、画面縮小機能と画面合成機能を備えることにより、複数の放送番組映像を同時に表示させる。
【０００３】
図９は、番組映像の画面表示例を示す図である。例えば、図９（Ａ）に示すように、マルチウインドウＴＶは、２つの画面を並べて表示したり、図９（Ｂ）に示すように、一方を子画面として表示したり、或いは図９（Ｃ）に示すように、一部をオーバーラップさせて２画面を表示する。また、マルチウインドウＴＶは、図９（Ｄ）に示すように、３つの画面を一度に並べることもある。また、近年、ＨＤＤ（Hard Disk Drive ）を用いた録画方式が実用化され、ＴＶ放送受像機に録画機能を内蔵した製品も存在する。
【０００４】
ここで、録画機能を搭載したマルチウインドウＴＶにおいて、表示画面に複数の番組映像を表示している状態で、ユーザがその番組を急に録画したくなったとする。その場合には、ユーザは複数の表示ウインドウから録画を希望するウインドウを選択する操作をなした後に、録画開始操作を行なわなければならない。そして、その操作は、リモコン送信機からなされる場合が多く、一般的に録画開始を指示する為のボタンは赤く目立ち易いのに対し、画面選択の為のボタンは、左右方向を指示するボタン等他の機能操作ボタンとも共用しており、目立ち難いことが多い。番組視聴中に録画操作がなされる場合では、ユーザは直ちに録画を開始したい場合がほとんどである。ユーザが目立ち難いボタンを押してからでなければ録画操作出来ないのでは、とっさの録画開始に支障をきたす。また、ユーザが、画面選択のボタンを用いて、画面選択機能とは異なる他の機能の操作、例えば階層構造のメニュー画面操作などを行なっている最中である場合がある。この場合、そのメニュー画面操作の状態から抜けない限り、画面選択操作も実行出来ない。このような場合においても、とっさの録画開始には支障をきたしてしまう。
【０００５】
なお、リモコンの表示部にＴＶ本体での画面分割パターンと同じ分割枠を表示し、そのウインドウ枠を指で押すことにより、その番組の録画を開始するリモートコントロール装置が提案されている（例えば、下記の特許文献１を参照）。
【先行技術文献】
【特許文献】
【０００６】
【特許文献１】特開２００８−４２５２０号公報
【発明の概要】
【発明が解決しようとする課題】
【０００７】
しかし、上記特許文献１に記載されたリモートコントロール装置では、ＴＶ画面の分割パターンが複数種類存在する場合、これら全てに対応しようとすると、リモコンの機能も多くなり、高価なものとなってしまう。またリモコン側で全ての操作を行なうので、リモコン側はＴＶ画面の画面分割状態を把握しているはずであるとの前提がある。しかし、赤外線リモコンの場合、リモコンからのコマンドコードが確実に本体側に届いたかは不明である。その結果、ＴＶ本体側での実際の画面分割状態と、リモコン側での枠表示が一致しなくなる恐れもある。そのような状況下では、録画開始指示がＴＶ本体側に正しく伝わらなくなってしまうので、十分な解決策とは言えない。
【０００８】
上述したように、従来、マルチウインドウＴＶに複数の番組映像を表示している状態で録画操作をなすためには、録画操作をなす前に、複数枚の表示画像から録画を所望する番組の選択操作を行なうことが必要であった。そのため、録画開始までに時間がかかってしまい、番組の冒頭部分を録画し損なう可能性が高かった。
上記の課題を鑑み、本発明は、複数の番組映像を表示している時に、録画したい番組の冒頭部分を録画し損なうことなく、録画したい番組の録画の開始を瞬時に実行する放送受信装置、放送受信装置の制御方法、及びそのコンピュータプログラムの提供を目的とする。
【課題を解決するための手段】
【０００９】
上述の課題を解決するために、本発明に係る放送受信装置は、放送番組データを受信する放送受信装置であって、それぞれ放送番組データを受信する複数の放送受信手段と、前記複数の放送受信手段によって受信された各々の放送番組データに係る番組映像を、表示画面上の互いに異なる表示領域にともに表示する画面表示手段と、前記各々の放送番組データに係る番組映像がともに前記表示画面上に表示されている状態で録画開始操作がなされた場合に、前記表示画面上に表示されている複数の番組の記録手段への録画を開始する制御手段とを備え、前記制御手段は、録画開始後に録画を続行する対象の番組を前記複数の番組の中から選択し、前記複数の番組のうち選択されなかった番組の録画を中止することを特徴とする。
【発明の効果】
【００１０】
本発明の放送受信装置によれば、各々の番組が表示画面上にともに表示されている状態で録画開始操作がなされた場合に、暫定的に表示している全ての番組の録画を開始しその後に録画する番組を選択することができる。その結果、録画したい番組の冒頭部分を録画し損なうことなく、録画したい番組の録画の開始を瞬時に実行することができる。
【図面の簡単な説明】
【００１１】
【図１】本発明による放送受信装置の第１の実施形態を示す図である。
【図２】リモコン送信機の操作ボタンの配列を示す図である。
【図３】システムコントローラの動作処理フローの例を示す図である。
【図４】番組映像の画面表示例を示す図である。
【図５】番組映像の画面表示例を示す図である。
【図６】本発明による放送受信装置の第２の実施形態を示す図である。
【図７】システムコントローラの動作処理フローの例を示す図である。
【図８】番組映像の画面表示例を示す図である。
【図９】番組映像の画面表示例を示す図である。
【発明を実施するための形態】
【００１２】
以下、本発明の実施の形態について図面等を参照して説明する。
（第１の実施形態）
図１は、本発明による放送受信装置の第１の実施形態を示す図である。図１では、放送受信装置として、放送番組データを受信するＴＶ受像機を例にとって説明する。図１では、ＴＶ受像機の、放送受信、描画、録画に関わる機能のみを示す。
【００１３】
図１に示すＴＶ受像機は、ＲＦ（Radio Frequency）入力端子１、ＲＦ分配器２、第１のデジタルＴＶ受信回路３、第２のデジタルＴＶ受信回路４、第１のデジタルＴＶ信号復号器５、第２のデジタルＴＶ信号復号器６を備える。また、このＴＶ受像機は、画面合成回路７、表示用ディスプレイ８、ＨＤＤ−ＩＦ（Interface ）回路９、ＨＤＤ１０、ＧＵＩ発生回路１１、システムコントローラ１２、リモコン信号受信部１３、リモコン送信機１４を備える。ＲＦ入力端子１には放送受信波が入力される。ＲＦ分配器２は、ＲＦ入力端子１に入力された放送受信波を第１並びに第２のデジタルＴＶ受信回路３，４に同時に入力する。第１並びに第２のデジタルＴＶ受信回路３，４は、ＲＦ分配器２から入力された放送受信波を受信／選局／復調する。すなわち、第１並びに第２のデジタルＴＶ受信回路３，４は、それぞれ放送番組データを受信する第１及び第２の放送受信手段である。第１のデジタルＴＶ信号復号器５、第２のデジタルＴＶ信号復号器６は、それぞれ、第１のデジタルＴＶ受信回路３、第２のデジタルＴＶ受信回路４の復調結果をＴＳ（Transport Stream）データに復号する。
【００１４】
復号されたＴＳデータは次段の画面合成回路７に送られると共に、ＨＤＤ−Ｉ／Ｆ回路９を介してＨＤＤ１０に記録される。画像合成回路７は、ＴＳデータに基づいて、複数の画像信号に拡大／縮小処理を施して１枚の画像に合成する。表示用ディスプレイ８は、合成された画像を表示する、ＨＤＤ−ＩＦ回路９は、ＨＤＤ１０への書き込み／読み出しを行なう。ＨＤＤ１０はＴＳデータを記録する記憶手段である。ＧＵＩ発生回路１１は、ユーザへの画像メッセージであるＧＵＩ（Graphical User Interface ）を発生させる。システムコントローラ１２は、システムステム全体を制御する。システムコントローラ１２は、ＣＰＵ（Central Processing Unit ）やメモリを備える。リモコン信号受信部１３はリモコン送信機１４からの制御信号を受信し、システムコントローラ１２に通知する。リモコン送信機１４は、ユーザの操作に応じた制御信号をリモコン信号受信部１３に送信する。
【００１５】
本実施形態において、ＨＤＤ１０は、同時に２つのコンテンツ録画が可能であるものとする。また、ＨＤＤ１０から読み出されたＴＳデータも、ＨＤＤ−Ｉ／Ｆ回路９を介して画面合成回路７に送られる。そして、ＧＵＩ発生回路１１にて作られたＧＵＩデータも画面合成回路７に送られる。画面合成回路７は、システムコントローラ１２からの指示（画面構成指示）に従って、これら画像データを１画面に合成する。そして、表示用ディスプレイ８が、合成された画像を描画する。すなわち、画面合成回路７及び表示用ディスプレイ８は、第１並びに第２のデジタルＴＶ受信回路３，４によって受信された各々の放送番組データに係る番組映像を、表示画面上の互いに異なる表示領域にともに画面表示する画面表示手段である。
【００１６】
なお、システムコントローラ１２は画面合成回路７に対する画面構成指示以外にも、様々な制御を行なう。例えば、リモコン信号受信部１３はユーザ操作によるリモコン送信機１４からの信号を受け、その指示内容をシステムコントローラ１２に伝える。システムコントローラ１２は、このユーザ指示に基づき、第１並びに第２のデジタルＴＶ受信回路３，４への選局指示や、ＨＤＤ−Ｉ／Ｆ回路９を介してのＨＤＤ１０に対する録画／再生制御、ＧＵＩ発生回路１１へのＧＵＩ作成命令を行なう。また、システムコントローラ１２は、第１並びに第２のデジタルＴＶ信号復号器５，６が復号したＴＳデータから番組情報を読み出して、読み出した番組情報を記憶するとともに、録画予約の制御を行なう。
【００１７】
具体的には、システムコントローラ１２は各々の放送番組データに係る番組映像がともに表示用ディスプレイ８上に画面表示されている状態で録画開始操作がなされた場合に、画面表示されている全ての番組の記録手段への録画を開始する制御手段として機能する。そして、システムコントローラは、録画開始後に録画を続行する対象の番組を画面表示されている複数の番組の中から選択し、上記複数の番組のうち選択されなかった番組の録画を中止する。
本発明の放送番組データを受信する放送受信装置の制御方法は、図１に示すＴＶ受像機によって実現される。また、本発明のコンピュータプログラムは、上記放送受信装置の制御方法をコンピュータに実行させることを特徴とするコンピュータプログラムである。
【００１８】
図２は、図１に示すリモコン送信機１４の操作ボタンの配列を示す図である。
リモコン送信機１４は、電源ＯＮ／ＯＦＦスイッチボタン１４１、テンキーボタン１４２、上下左右キー並びに決定キーボタン１４３、メニュー関連操作ボタン１４４、録画／再生系操作ボタン１４５、チャンネル／音量のアップ／ダウンキーボタン１４６を備える。例えばメニュー関連操作ボタン１４４の内のメニューを呼び出す為のボタンが押下されたとすると、システムコントローラ１２は、その操作に応じてＧＵＩ発生回路１１へのＧＵＩ作成命令を行なう。ユーザは、作成されたＧＵＩを見ながら上下左右キー並びに決定キーボタン１４３を操作し、所望の指示を行なう。
【００１９】
ここで、ユーザにより２画面合成の指示がなされた時には、システムコントローラ１２は、画面合成回路７に２画面合成の指示を行なう。その結果、表示用ディスプレイ８は、図９（Ａ）に示すように、２つの番組映像を互いに異なる表示領域に同時に画面表示する。この画面表示状態を、以下では２画面表示状態と記述する。第１のデジタルＴＶ受信回路３にて受信し第１のデジタルＴＶ信号復号器５にて復号した画像が富士山の画像、第２のデジタルＴＶ受信回路４にて受信し第２のデジタルＴＶ信号復号器６にて復号した画像がネコの画像とする。この両者の画像のＴＳデータを画面合成回路７にて縮小し、富士山の画像を画面左側に、ネコの画像を画面右側に配置し、表示用ディスプレイ８に表示する。
【００２０】
図９（Ａ）に示す画面表示状態において、録画／再生系操作ボタン１４５のうち、録画開始を指示する為のボタン操作がなされたものとする。システムコントローラ１２は以下の図３に示すフローチャートが示す処理を開始する。
【００２１】
図３は、システムコントローラの動作処理フローの例を示す図である。まず、Ｓｔｅｐ１０１において、システムコントローラ１２は、処理を開始する。Ｓｔｅｐ１０２において、システムコントローラ１２は、２画面表示状態であるか否かを確認する。システムコントローラ１２が、１画面表示状態であると判断した場合、システムコントローラ１２は、Ｓｔｅｐ１２１において表示中の番組の録画を開始する。そして、ＧＵＩ発生回路１１が、表示中の画面が録画中である旨の表示（Ｒｅｃ表示）を行なう。図４（Ａ）は、Ｒｅｃ表示の例を示す図である。一方、Ｓｔｅｐ１０２において、システムコントローラ１２が、２画面表示状態であると判断した場合、Ｓｔｅｐ１０３において、表示されている両方の番組の録画を開始する。そして、Ｓｔｅｐ１０４において、ＧＵＩ発生回路１１が、図４（Ｂ）に示すような、両画面が録画中である旨の表示を行なう。次に、Ｓｔｅｐ１０５において、システムコントローラ１２は、２画面の内どちらの画面を録画したいのかをユーザに問うために、図４（Ｃ）中に示すような表示を行なう。
【００２２】
そして、Ｓｔｅｐ１０６に進んで、システムコントローラ１２は、ユーザの選択操作を待つ。この選択操作は、リモコン送信機の上下左右キー並びに決定キーボタン１４３の押し下げによってなされる。ユーザは、左右キーいずれかで録画したい画面を選び、決定キーでそれを確定する。この選択操作がなされたら、Ｓｔｅｐ１３１に進み、システムコントローラ１２は、選択されなかった方の番組録画を中止する。すなわち、システムコントローラ１２は、ユーザの選択操作に応じて録画を続行する対象の番組を選択する。システムコントローラ１２が、上記録画を中止した番組のデータをＨＤＤ１０から消去するようにしてもよい。
そして、システムコントローラ１２は、Ｓｔｅｐ１３２において、例えば図５（Ａ）に示すように、選択された方の画面にのみ録画中の表示を残す。図５（Ａ）に示す例では、右側のネコの番組、つまり第２のデジタルＴＶ受信回路４にて受信し第２のデジタルＴＶ信号復号器６にて復号した画像を録画している。
【００２３】
Ｓｔｅｐ１０６において、ユーザの選択操作が行われなかった場合には、Ｓｔｅｐ１０７において、システムコントローラ１２は、放送波に重畳されたＥＰＧ（Electric Program Guide）データを確認する。そして、ＥＰＧデータから録画中の番組の終了時刻を検出する。すなわち、システムコントローラ１２は、録画中の番組に係る番組情報から録画終了時刻を取得する。また、システムコントローラ１２は、Ｓｔｅｐ１０８において、番組の録画予約状況を確認する。この録画予約状況を示す、番組の録画予約データは、ユーザの操作に従って、例えば録画予約リストの形式で予め設定されているものとする。そして、Ｓｔｅｐ１０９において、システムコントローラ１２は、取得した番組の終了時刻と録画予約データとに基づいて、録画予約の実行に支障があるかを判断する。
【００２４】
具体的には、システムコントローラ１２は、録画予約データが示す番組の開始時刻までに録画中の番組が終了するかを判断する。システムコントローラ１２は、上記開始時刻までに録画中の番組が終了する場合に、録画予約の実行に支障がないと判断する。システムコントローラ１２は、上記開始時刻までに録画中の番組が終了しない場合に、録画予約の実行に支障があると判断する。録画予約の実行に支障があると判断された場合には、Ｓｔｅｐ１４１に進む。システムコントローラ１２が、録画予約の実行に支障がないと判断した場合には、Ｓｔｅｐ１１０において、システムコントローラ１２は、番組終了時刻に基づいて、ＨＤＤ１０の容量が両番組録画に不足しないかを判断する。システムコントローラ１２が、ＨＤＤ１０の容量が不足すると判断した場合には、Ｓｔｅｐ１４１に進む。
【００２５】
Ｓｔｅｐ１４１は、２つの番組を同時に録画し続けることが困難な場合に進むステップである。Ｓｔｅｐ１４１において、システムコントローラ１２は、図５（Ｂ）に示すような、２番組同時録画を中止することを示す表示を行なう。システムコントローラ１２は、Ｓｔｅｐ１４２において、所定の時間、例えば３０秒程度待つ。そして、Ｓｔｅｐ１４３において、システムコントローラ１２は、所定の番組の録画を中止し、他の番組を、録画を続行する対象の番組として選択する。システムコントローラ１２は、例えば、右側の番組、つまり第２のデジタルＴＶ受信回路４にて受信し第２のデジタルＴＶ信号復号器６にて復号したネコの番組録画を中止する。そして、Ｓｔｅｐ１４４において、システムコントローラ１２は、Ｓｔｅｐ１３２における処理を行なう場合と同様に、録画が中止されなかった方の画面にのみ録画中の表示を残す。本実施形態のＴＶ受像機によれば、録画予約に支障があると判断された場合に、該判断結果に基づいて、いずれかの番組の録画を中止することができる。
【００２６】
Ｓｔｅｐ１４３においては、所定の番組を、録画を中止する番組とし、他の番組を、録画を続行する対象の番組として選択したが、システムコントローラ１２は、例えば以下の（１）〜（８）に示すような判断基準に基づいて、どの番組を残すかを決定してもよい。
（１）表示用ディスプレイ８上の番組映像が表示される表示領域の表示サイズ（面積）の大きさに基づいて、録画を続行する対象の番組を選択する。例えば、表示面積が大きい表示領域に表示されている番組を、録画を続行する対象の番組として選択する。これにより、表示領域のサイズに応じて録画を続行する対象の番組を選択することができる。
（２）番組の表示位置に応じて、録画を続行する対象の番組を選択する。例えば、表示用ディスプレイ８上の特定の表示位置に表示されている番組を、録画を続行する対象の番組として選択する。これにより、番組の表示位置に応じて録画を続行する対象の番組を選択することができる。
（３）表示用ディスプレイ８上の番組映像が表示される表示領域（ウインドウ）の他の表示領域との重なり状況に応じて録画を続行する対象の番組を選択する。例えば、システムコントローラ１２が、図９（Ｃ）のように各々の放送番組データに係る番組映像が表示される表示領域を配置するものとする。図９（Ｃ）において、ネコの放送番組映像が表示される表示用ディスプレイ８上の表示領域が他方の表示領域（富士山の番組の表示領域）の一部を被っている。システムコントローラ１２は、例えば、上側に配置されたネコの番組の方を、録画を続行する対象の番組として選択する。これにより、表示領域の他の表示領域との重なり状況に応じて録画を続行する対象の番組を選択することができる。
（４）ユーザが視聴又は録画した番組について、コンテンツに付随して放送される番組情報である番組メタ情報を取得する。そして、番組メタ情報に基づいて、過去の視聴／録画履歴を所定の記憶手段に記憶する。そして、記憶された視聴／録画履歴に基づいて、番組に対するユーザの嗜好度を算出し、算出された嗜好度が高い番組を、録画を続行する対象の番組として選択する。これにより、番組に対するユーザの嗜好度に応じて録画を続行する対象の番組を選択することができる。
（５）音声を再生している方を、録画を続行する対象の番組として選択する。これにより、音楽を再生している番組を、録画を続行する対象の番組として選択することができる。
（６）チャンネル選局操作がなされた時系列順に応じて番組を選択する。具体的には、最後に選局操作がなされたチャンネルの方を、録画を続行する対象の番組として選択する。これにより、チャンネル選局操作がなされた時系列順に応じて録画を続行する対象の番組を選択することができる。
（７）録画操作後にチャンネル変更操作がなされた場合、変更操作がなされたチャンネルは不要と判断し、変更操作がなされなかったチャンネルの番組を、録画を続行する対象の番組として選択する。これにより、録画操作後のチャンネル変更操作の有無に応じて録画を続行する対象の番組を選択することができる。
（８）特別な操作をせずとも常にいずれかのウインドウが選択されていて、その選択されている方を、録画を続行する対象の番組として選択する。これにより、予め選択されたウインドウに表示されている番組を録画を続行する対象の番組として選択することができる。
システムコントローラ１２は、上記（１）〜（８）のいずれか１つ、あるいはいずれか複数を組み合わせた基準に基づいて録画を続行する対象の番組を決定してもよい。
【００２７】
Ｓｔｅｐ１１０において、システムコントローラ１２が、ＨＤＤ１０の容量が足りると判断した場合、Ｓｔｅｐ１１１において、システムコントローラ１２は、番組メタ情報に基づいて、録画中の２番組が終了したかを判断する。システムコントローラ１２が、いずれの番組も未だ終了していないと判断した場合にはＳｔｅｐ１０６に戻り、Ｓｔｅｐ１０６〜Ｓｔｅｐ１１１の処理を繰り返す。ここで、Ｓｔｅｐ１０６〜Ｓｔｅｐ１１１の処理を繰り返し、幾度もＥＰＧデータの確認を行なうのは、突発的な番組時間の変更が発生してもこれに対応出来るようにするためである。
【００２８】
上記Ｓｔｅｐ１１１において、システムコントローラ１２が、いずれか一方の番組が終了したと判断した場合には、Ｓｔｅｐ１１２に進み、Ｓｔｅｐ１３２，Ｓｔｅｐ１４４と同様に、録画を継続する方の番組にのみ録画中の表示を残す。Ｓｔｅｐ１１３に進むのは、１つの番組のみの録画に移行した時であり、ここで録画中の番組が終了するのを待ちつづける。そして、番組が終了した時に、システムコントローラ１２は、Ｓｔｅｐ１１４において録画を終了し、Ｓｔｅｐ１１５において一連の処理を終了する。
以上、図９（Ａ）に示した２画面表示パターンを前提として説明したが、２画面表示のパターンが図９（Ａ）に示すパターンに限定されるものでは無いことは言うまでも無い。本実施形態のシステムコントローラ１２の処理は、図９（Ｂ）又は図９（Ｃ）のような表示パターンに対しても適用することができる。
【００２９】
本実施形態におけるリモコン送信機１４とリモコン信号受信部１３との間の通信は、赤外線を用いたものであっても、あるいは無線通信によるものであってもよい。また、図１に示す回路ブロック例では、ＴＶ受信回路とＴＶ信号復号器から成る受信系を２系統備えているが、ＴＶ受像機が受信系を３系統備えるようにしてもよい。そして、ＴＶ受像機が、図９（Ｄ）に示すような３画面表示をし、表示されている３画面についての番組録画を開始した上で、録画を中止する番組を選択するようにしてもよい。なお、ＴＶ受像機が、ＴＶ受信回路として地上波用と衛星放送用とをそれぞれ複数備えるようにしてもよい。また、ＴＶ受像機が、録画媒体として内蔵したＨＤＤ１０に番組を記録する場合について説明してきたが、ＴＶ受像機が、例えばＵＳＢ等で外部接続された記憶装置に番組を記録するようにしてもよい。
【００３０】
以上説明したように、本実施形態の放送受信装置は、各々の番組映像を表示画面上の互いに異なる表示領域にともに表示している状態で録画開始操作がなされた場合に、暫定的に表示している全ての番組の録画を開始する。そして、その後にどの番組の録画を選択するかを決定し、選択した番組以外の録画を中止する。その結果、所望の番組の冒頭部分を録画し損ねることなく録画することができる。
【００３１】
（第２の実施形態）
図６は、本発明による放送受信装置の第２の実施形態を示す図である。図６においても、放送受信装置として、ＴＶ受像機を例にとって説明する。図６では、ＴＶ受像機の、放送受信、描画、録画に関わる機能のみを示す。図６に示すＴＶ受像機が備える処理部のうち、図１に示すＴＶ受像機が備える処理部と同一の符号が付されたものは、図１に示すＴＶ受像機が備える処理部と同様の機能を有する。
【００３２】
図６に示すＴＶ受像機は、図１に示すＴＶ受像機に加えて、メモリ１５を備える。メモリ１５は、録画するＴＳデータを一旦蓄えるための記憶手段である。メモリ１５は、３０秒程度分のＴＳデータ記録容量を必要とし、数百Ｍバイト程度の容量である。第２の実施形態と第１の実施形態との相違点は、第２の実施形態は、ＨＤＤ１０に対して一度に１つの番組しか録画できないという制約下での実施形態である点である。
【００３３】
図６に示す第１のデジタルＴＶ受信回路３と第１のデジタルＴＶ信号復号器５からなる受信系は主たる受信回路であり、第２のデジタルＴＶ受信回路４と第２のデジタルＴＶ信号復号器６から成る受信系はサブ受信回路である。主たる受信回路３，５は視聴用、サブ受信回路４，６は裏番組の録画用として用いる。サブ受信回路４，６からのＴＳデータはＨＤＤ−Ｉ／Ｆ回路９を介してＨＤＤ１０に直接録画できるが、主たる受信回路３，５からのＴＳデータは一旦メモリ１５に蓄え、これを読み出した後にＨＤＤ−Ｉ／Ｆ回路９を介してＨＤＤ１０に録画できる。
【００３４】
システムコントローラ１２は、２画面表示時には、図９（Ｂ）に示すようなサブ画面（図９（Ｂ）に示す例では子画面）を用いて２つの番組データに係る番組映像を同時に表示する。例えば、主たる受信回路３，５からの画像（富士山の画像）を全画面表示し、その一部に設けた子画面にサブ受信回路４，６からの画像（ネコの画像）を表示する。
ここで、リモコン送信機１４にある録画／再生系操作ボタン１４５のうちの録画開始を指示するためのボタン操作がなされたとする。システムコントローラ１２は、以下の図７に示すフローチャートが示す処理を開始する。
【００３５】
図７は、システムコントローラの動作処理フローの例を示す図である。
まず、Ｓｔｅｐ２０１において、システムコントローラ１２は処理を開始する。Ｓｔｅｐ１０２において、システムコントローラ１２は、２画面表示状態であるかを判断する。システムコントローラ１２が、１画面表示であると判断した場合、Ｓｔｅｐ２２１において、システムコントローラ１２は、第２のデジタルＴＶ受信回路４に対し、第１のデジタルＴＶ受信回路３と同じチャンネルを選局（チューナー選局）させる。そして、システムコントローラ１２は、Ｓｔｅｐ２２２において、サブ受信回路４，６からのＴＳデータの直接録画（サブ画面録画）を開始する。そして、システムコントローラ１２は、Ｓｔｅｐ２２３において、図８（Ａ）に示すように、サブ画面に表示されている番組（ネコの画像）を録画中である旨の表示（Ｒｅｃ表示）を行ない、Ｓｔｅｐ２０９に進む。
【００３６】
システムコントローラ１２が、２画面表示であると判断した場合、Ｓｔｅｐ２０３において、２コンテンツの録画を開始する。具体的には、システムコントローラ１２は、サブ受信回路４，６からのＴＳデータのＨＤＤ１０への直接録画とともに、主たる受信回路３，５からのＴＳデータのメモリ１５への蓄え（主画面録画）を開始する。そして、Ｓｔｅｐ２０４において、システムコントローラ１２は、図８（Ｂ）に示すように、主画面Ａとサブ画面（子画面Ｂ）という２つの画面を録画中である旨の表示と、どちらの番組を録画するかの選択をユーザに促す表示を行なう。その選択操作は、ユーザが、例えば図２に示すリモコン送信機１４のテンキー１４２で録画したい画面を選び、決定キー１４３でそれを確定することによって行われる。
【００３７】
Ｓｔｅｐ２０５及び２０６において、システムコントローラ１２は、ユーザの選択操作を所定の時間（例えば３０秒間）待つ。ユーザが主画面を選択した場合には、Ｓｔｅｐ２３１において、システムコントローラ１２は、サブ受信回路４，６からの直接録画を中止する。Ｓｔｅｐ２３１においては、システムコントローラ１２は、更に、メモリ１５に蓄えられた主画面のＴＳデータ（富士山の画像）をＨＤＤ１０へ移し始める。以降、主画面のＴＳデータはメモリ１５へ蓄えられつつＨＤＤ１０へ移される。また、Ｓｔｅｐ２３１において、システムコントローラ１２は、サブ画面におけるＲｅｃ表示を中止し、Ｓｔｅｐ２０９に進む。
【００３８】
一方、ユーザがサブ画面（ネコの画像）を選択した場合、もしくは上記所定の時間が経過してしまった場合には、Ｓｔｅｐ２０７において、システムコントローラ１２は、主たる受信回路３，５からのＴＳデータのメモリ１５への蓄えを中止する。そして、システムコントローラ１２は、サブ受信回路４，６からのＴＳデータ（ネコの画像）のＨＤＤ１０への直接録画のみを継続する。そして、システムコントローラ１２は、Ｓｔｅｐ２０８において、図８（Ｃ）に示すように、主画面を録画中である旨の表示を中止し、子画面の画像（ネコの画像）を録画中である旨の表示を行なう。
Ｓｔｅｐ２０９へは、主画面の画像又はサブ画面の画像のうち、いずれの画像を録画するかが確定した段階で進んでくる。Ｓｔｅｐ２０９において、システムコントローラ１２は、番組メタ情報からＥＰＧデータを取得し、録画している番組の終了時刻を確認し、Ｓｔｅｐ２１０において一連の処理を終了する。
【００３９】
すなわち、システムコントローラ１２は、各々の放送番組データに係る番組映像がともに画面表示されている状態で録画開始操作された場合に、一部の番組（サブ画面の番組）について第１の記録手段（ＨＤＤ１０）への録画を開始する。また、システムコントローラ１２は、上記複数の番組のうちの残りの番組（主画面の番組）について第２の記録手段（メモリ１５）への録画を開始する。そして、システムコントローラ１２は、録画開始後に録画を続行する対象の番組を選択し、選択されなかった番組の録画を中止する。
【００４０】
Ｓｔｅｐ２０９の処理以降に、前述した第１の実施の形態と同様に、システムコントローラ１２が、ＨＤＤ１０の残容量や録画予約状況等に基づいて、更なる録画の選択等を行なうようにしてもよい。また、Ｓｔｅｐ２０６において所定の時間内にユーザの選択操作がなされなかった場合、所定の判断基準にてどちらの番組の録画を続行するかを決定しても良い。例えば、機械的に一方（図７に示す処理フローの例では、サブ画面の画像）を残すのでは無く、図３のＳｔｅｐ１４３における処理に関して前述したような判断基準に基づいて、録画を続行する対象の番組を選択するようにしてもよい。
また、第２の実施の形態においても、第１の実施の形態と同様に、２画面表示パターンは、図９（Ｂ）に示すような子画面表示パターンに限定されるものでは無い。ＴＶ受像機が、３系統又は３系統以上の受信系を備えるようにしてもよい。例えば、ＴＶ受像機が受信系を３系統備える場合には、ＴＶ受像機がメモリ１５をもう１つ備えるようにする。そして、ＨＤＤ１０には１系統の受信系からのＴＳデータを、２つのメモリには残る２系統の受信系からのＴＳデータを蓄える様にする。このような構成を有するＴＶ受像機は、図９（Ｄ）に示すような表示パターンに対しても適用可能である。
【００４１】
なお、第２の実施の形態においても、ＨＤＤ１０が内蔵されたものでは無く、外部接続された記憶装置であってもよい。また、例えばＴＶ受像機が、２つのコンテンツまで同時録画が可能なＨＤＤ１０と、３つの受信系を備えるようにしてもよい。ＨＤＤ１０には２系統の受信系からのＴＳデータを記録し、メモリには残る１系統の受信系からのＴＳデータを蓄えるようにすれば、表示されている全ての番組の録画を開始した上で、録画を続行する対象の番組を選択することができる。更には、記録媒体がＨＤＤでは無く、光ディスクのように、記録回数に制限のある媒体である場合には、全ての放送を一旦メモリに蓄え、録画すべき番組が確定した後にメモリから記録媒体に移すことも可能である。
【００４２】
第２の実施の形態の放送受信装置は、ｎ本のコンテンツを同時に録画可能な記録媒体を備えるとともに、複数画面表示可能なＴＶ受像機である。この放送受信装置は、ｎ＋α本の番組データに係る番組映像を同時に表示している状況で録画開始操作がなされた場合に、ｎ本の番組データに係る番組映像についてはＨＤＤ等の記録媒体に録画を開始する。また、残りのα本の番組データに係る番組映像も暫定的にメモリに蓄え、その直後に録画する番組を選択する。従って、同時にＨＤＤ等に録画可能なコンテンツ数を上回る本数の番組データに係る番組映像を同時表示している状況でも、表示されている全ての番組映像の録画を開始した上で、録画を続行する対象の番組の選択をすることができる。その結果、番組を録画したい時に瞬時に対応することが可能となる。
本発明は、上述した実施形態に限定されるものではなく、この発明の要旨を逸脱しない範囲内で様々な変形や応用が可能である。また、本発明の各工程は、ネットワーク又は各種記録媒体を介して取得したソフトウェア（コンピュータプログラム）をパーソナルコンピュータ等の処理装置（ＣＰＵ、プロセッサ）にて実行することで実現することができる。
【符号の説明】
【００４３】
１  ＲＦ入力端子
２  ＲＦ分配器
３  第１のデジタルＴＶ受信回路
４  第２のデジタルＴＶ受信回路
５  第１のデジタルＴＶ信号復号器
６  第２のデジタルＴＶ信号復号器
７  画面合成回路
８  表示用ディスプレイ
１０  ＨＤＤ
１２  システムコントローラ
【図１】
2010278757.tif 000003
【図２】
2010278757.tif 000004
【図３】
2010278757.tif 000005
【図４】
2010278757.tif 000006
【図５】
2010278757.tif 000007
【図６】
2010278757.tif 000008
【図７】
2010278757.tif 000009
【図８】
2010278757.tif 000010
【図９】
2010278757.tif 000011